(57)【要約】【課題】  抽せん券の購入者が、希望する抽せん券売場の抽せん券をその売場まで出かけることなく購入することができる、抽せん券販売管理システムを提供する。【解決手段】  抽せん券販売管理装置が、購入者が抽せん券の購入先として希望する売場の売場識別情報と、購入者が購入を希望する抽せん券の抽せん券特定情報と、購入者が希望する引き渡し先の引き渡し先情報とを受け付け、受け付けた売場識別情報と抽せん券特定情報とに対応付けられて抽せん券管理データ記憶手段が記憶する引き渡し先情報を、購入者情報受付手段が受け付けた引き渡し先情報に更新する。【選択図】    図１
2005284330.tif 000002
【特許請求の範囲】
【請求項１】
抽せん券販売管理装置を有する抽せん券販売管理システムであって、
前記抽せん券販売管理装置が、
抽せん券を特定する抽せん券特定情報と前記抽せん券の販売が割当てられた売場を識別する売場識別情報と前記抽せん券の引き渡し先を示す引き渡し先情報とを対応付けて記憶し、標準の前記引き渡し先情報として、当該引き渡し先情報に対応付けられた前記売場識別情報に示された売場を示す情報を記憶する抽せん券管理データ記憶手段と、
購入者が前記抽せん券の購入先として希望する売場の前記売場識別情報と、前記購入者が購入を希望する抽せん券の前記抽せん券特定情報と、前記購入者が希望する引き渡し先の前記引き渡し先情報と、を受け付ける購入情報受付手段と、
前記購入情報受付手段が受け付けた前記売場識別情報と前記抽せん券特定情報とに対応付けられて前記抽せん券管理データ記憶手段が記憶する引き渡し先情報を、前記購入者情報受付手段が受け付けた引き渡し先情報に更新する更新手段と、
を備えることを特徴とする抽せん券販売管理システム。
【請求項２】
印刷装置をさらに有しており、
前記抽せん券販売管理装置が、
前記抽せん券管理データ記憶手段で記憶する抽せん券ごとの売場識別情報を読み取り、該売場識別情報か又は該売場識別情報に対応した前記売場を表す情報を前記印刷装置に送信する売場識別情報印刷指示手段を備え、
前記印刷装置が、
前記抽せん券ごとの、前記売場識別情報に対応した売場を表す情報か又は該売場識別情報のいずれかを、その抽せん券に印刷する売場識別情報印刷手段を備える
ことを特徴とする請求項１に記載の抽せん券販売管理システム。
【請求項３】
袋詰装置をさらに有しており、
前記抽せん券販売管理装置が、
前記抽せん券管理データ記憶手段で記憶する抽せん券ごとの売場識別情報と引き渡し先情報を読み取り、前記袋詰装置に送信する抽せん券袋詰指示手段を備え、
前記袋詰装置が、
前記売場識別情報と引き渡し先情報との組み合わせが同じ複数枚の前記抽せん券を、同じ袋に袋詰する袋詰手段を備える
ことを特徴とする請求項１または請求項２に記載の抽せん券販売管理システム。
【請求項４】
袋詰装置をさらに有しており、
前記抽せん券販売管理装置が、
前記抽せん券管理データ記憶手段で記憶する抽せん券ごとの売場識別情報と引き渡し先情報を読み取り、前記売場識別情報と引き渡し先情報との組み合わせが同じ抽せん券同士の複数枚を同じ袋に袋詰するように、抽せん券の袋詰の振り分けを行い、袋特定情報か袋詰特定情報かあるいは同じ袋に袋詰する抽せん券の抽せん券特定情報のいずれかを、前記袋詰装置に送信する抽せん券袋詰指示手段を備え、
前記袋詰装置が、
袋特定情報か袋詰特定情報かあるいは同じ袋に袋詰する抽せん券の抽せん券特定情報のいずれかに基づいて、前記売場識別情報と引き渡し先情報との組み合わせが同じ抽せん券同士を、同じ袋に袋詰する袋詰手段を備える
ことを特徴とする請求項１または請求項２に記載の抽せん券販売管理システム。
【請求項５】
仕分け装置をさらに有しており、
前記仕分け装置が、
前記抽せん券ごとの前記引き渡し先情報に基づいて、前記抽せん券が詰められた袋の仕分けを行なう袋仕分け手段を備える
ことを特徴とする請求項１から請求項４のいずれかに記載の抽せん券販売管理システム。
【請求項６】
仕分け装置をさらに有しており、
前記仕分け装置が、
前記抽せん券ごとの前記引き渡し先情報に基づいて、前記抽せん券の仕分けを行なう抽せん券仕分け手段を備える
ことを特徴とする請求項１または請求項２のいずれかに記載の抽せん券販売管理システム。
【請求項７】
抽せん券を特定する抽せん券特定情報と前記抽せん券の販売が割当てられた売場を識別する売場識別情報と前記抽せん券の引き渡し先を示す引き渡し先情報とを対応付けて記憶し、標準の前記引き渡し先情報として、当該引き渡し先情報に対応付けられた前記売場識別情報に示された売場を示す情報を記憶する抽せん券管理データ記憶手段を備えた抽せん券販売管理装置を有する抽せん券販売管理システムの抽せん券管理方法であって、
前記抽せん券販売管理装置が、購入者が前記抽せん券の購入先として希望する売場の前記売場識別情報と、前記購入者が購入を希望する抽せん券の前記抽せん券特定情報と、前記購入者が希望する引き渡し先の前記引き渡し先情報とを受け付ける購入情報受付過程と、
前記抽せん券販売管理装置が、前記購入情報受付過程において受け付けた前記売場識別情報と前記抽せん券特定情報とに対応付けられて前記抽せん券管理データ記憶手段が記憶する引き渡し先情報を、前記購入者情報受付手段が受け付けた引き渡し先情報に更新する更新手段と、
を有することを特徴とする抽せん券販売管理方法。
【請求項８】
前記抽せん券販売管理システムが印刷装置をさらに有しており、
前記抽せん券販売管理装置が、前記抽せん券管理データ記憶手段で記憶する抽せん券ごとの売場識別情報を読み取り、該売場識別情報か又は該売場識別情報に対応した前記売場を表す情報を前記印刷装置に送信する売場識別情報印刷指示過程を有し、
前記印刷装置が、前記抽せん券ごとの、前記売場識別情報に対応した売場を表す情報か又は該売場識別情報のいずれかを、その抽せん券に印刷する売場識別情報印刷過程を有する
ことを特徴とする請求項７に記載の抽せん券販売管理方法。
【請求項９】
前記抽せん券販売管理システムが袋詰装置をさらに有しており、
前記抽せん券販売管理装置が、前記抽せん券管理データ記憶手段で記憶する抽せん券ごとの売場識別情報と引き渡し先情報を読み取り、前記袋詰装置に送信する抽せん券袋詰指示過程を有し、
前記袋詰装置が、前記売場識別情報と引き渡し先情報との組み合わせが同じ複数枚の前記抽せん券を、同じ袋に袋詰する袋詰過程を有する
ことを特徴とする請求項７または請求項８に記載の抽せん券販売管理方法。
【請求項１０】
前記抽せん券販売管理システムが袋詰装置をさらに有しており、
前記抽せん券販売管理装置が、前記抽せん券管理データ記憶手段で記憶する抽せん券ごとの売場識別情報と引き渡し先情報を読み取り、前記売場識別情報と引き渡し先情報との組み合わせが同じ抽せん券同士の複数枚を同じ袋に袋詰するように、抽せん券の袋詰の振り分けを行い、袋特定情報か袋詰特定情報かあるいは同じ袋に袋詰する抽せん券の抽せん券特定情報のいずれかを、前記袋詰装置に送信する抽せん券袋詰指示過程を有し、
前記袋詰装置が、袋特定情報か袋詰特定情報かあるいは同じ袋に袋詰する抽せん券の抽せん券特定情報のいずれかに基づいて、前記売場識別情報と引き渡し先情報との組み合わせが同じ抽せん券同士を、同じ袋に袋詰する袋詰過程を有する
ことを特徴とする請求項７または請求項８に記載の抽せん券販売管理方法。
【請求項１１】
前記抽せん券販売管理システムが仕分け装置をさらに有しており、
前記仕分け装置が、前記抽せん券ごとの前記引き渡し先情報に基づいて、前記抽せん券が詰められた袋の仕分けを行なう袋仕分け過程を有する
ことを特徴とする請求項７から請求項１０のいずれかに記載の抽せん券販売管理方法。
【請求項１２】
前記抽せん券販売管理システムが仕分け装置をさらに有しており、
前記仕分け装置が、前記抽せん券ごとの前記引き渡し先情報に基づいて、前記抽せん券の仕分けを行なう抽せん券仕分け過程を有する
ことを特徴とする請求項７または請求項８のいずれかに記載の抽せん券販売管理方法。
【発明の詳細な説明】
【技術分野】
【０００１】
本発明は、コンピュータシステムに係わり、特に、抽せん券の販売の管理を行なう抽せん券販売管理システム及び抽せん券販売管理方法に関する。
【背景技術】
【０００２】
従来、宝くじ券などの抽せん券は主に抽せん券売場で販売されているが、販売される抽せん券の販売量が多い抽せん券売場や、過去に販売した抽せん券の当せん確率が高いと噂される抽せん券売場などは、その抽せん券売場で購入を希望する購入者が多い。なお、宝くじ券の販売に関わる技術としては、既に多くのアイディアが開示されており、例えば、特許文献１の技術が公開されている。
【特許文献１】特開２００２−１２３６４４号公報
【発明の開示】
【発明が解決しようとする課題】
【０００３】
しかしながら、希望する抽せん券売場で抽せん券の購入をしたいと考えた場合、購入者はその抽せん券売場まで出向く必要があるので、希望する抽せん券売場が遠い場合などは、購入者は希望する抽せん券売場での抽せん券の購入を諦めなければならないことがあった。
【０００４】
そこでこの発明は、抽せん券の購入者が、希望する抽せん券売場の抽せん券をその売場まで出かけることなく購入することができる、抽せん券販売管理システム及び抽せん券販売管理方法を提供することを目的としている。
【課題を解決するための手段】
【０００５】
本発明は、上述の課題を解決すべくなされたもので、抽せん券販売管理装置を有する抽せん券販売管理システムであって、前記抽せん券販売管理装置が、抽せん券を特定する抽せん券特定情報と前記抽せん券の販売が割当てられた売場を識別する売場識別情報と前記抽せん券の引き渡し先を示す引き渡し先情報とを対応付けて記憶し、標準の前記引き渡し先情報として、当該引き渡し先情報に対応付けられた前記売場識別情報に示された売場を示す情報を記憶する抽せん券管理データ記憶手段と、購入者が前記抽せん券の購入先として希望する売場の前記売場識別情報と、前記購入者が購入を希望する抽せん券の前記抽せん券特定情報と、前記購入者が希望する引き渡し先の前記引き渡し先情報と、を受け付ける購入情報受付手段と、前記購入情報受付手段が受け付けた前記売場識別情報と前記抽せん券特定情報とに対応付けられて前記抽せん券管理データ記憶手段が記憶する引き渡し先情報を、前記購入者情報受付手段が受け付けた引き渡し先情報に更新する更新手段とを備えることを特徴とする抽せん券販売管理システムである。
【０００６】
また本発明は、印刷装置をさらに有しており、前記抽せん券販売管理装置が、前記抽せん券管理データ記憶手段で記憶する抽せん券ごとの売場識別情報を読み取り、該売場識別情報か又は該売場識別情報に対応した前記売場を表す情報を前記印刷装置に送信する売場識別情報印刷指示手段を備え、前記印刷装置が、前記抽せん券ごとの、前記売場識別情報に対応した売場を表す情報か又は該売場識別情報のいずれかを、その抽せん券に印刷する売場識別情報印刷手段を備えることを特徴とする。
【０００７】
また本発明は、袋詰装置をさらに有しており、前記抽せん券販売管理装置が、前記抽せん券管理データ記憶手段で記憶する抽せん券ごとの売場識別情報と引き渡し先情報を読み取り、前記袋詰装置に送信する抽せん券袋詰指示手段を備え、前記袋詰装置が、前記売場識別情報と引き渡し先情報との組み合わせが同じ複数枚の前記抽せん券を、同じ袋に袋詰する袋詰手段を備えることを特徴とする。
【０００８】
また本発明は、袋詰装置をさらに有しており、前記抽せん券販売管理装置が、前記抽せん券管理データ記憶手段で記憶する抽せん券ごとの売場識別情報と引き渡し先情報を読み取り、前記売場識別情報と引き渡し先情報との組み合わせが同じ抽せん券同士の複数枚を同じ袋に袋詰するように、抽せん券の袋詰の振り分けを行い、袋特定情報か袋詰特定情報かあるいは同じ袋に袋詰する抽せん券の抽せん券特定情報のいずれかを、前記袋詰装置に送信する抽せん券袋詰指示手段を備え、前記袋詰装置が、袋特定情報か袋詰特定情報かあるいは同じ袋に袋詰する抽せん券の抽せん券特定情報のいずれかに基づいて、前記売場識別情報と引き渡し先情報との組み合わせが同じ抽せん券同士を、同じ袋に袋詰する袋詰手段を備えることを特徴とする。
【０００９】
また本発明は、仕分け装置をさらに有しており、前記仕分け装置が、前記抽せん券ごとの前記引き渡し先情報に基づいて、前記抽せん券が詰められた袋の仕分けを行なう袋仕分け手段を備えることを特徴とする。
【００１０】
また本発明は、仕分け装置をさらに有しており、前記仕分け装置が、前記抽せん券ごとの前記引き渡し先情報に基づいて、前記抽せん券の仕分けを行なう抽せん券仕分け手段を備えることを特徴とする。
【００１１】
また本発明は、抽せん券を特定する抽せん券特定情報と前記抽せん券の販売が割当てられた売場を識別する売場識別情報と前記抽せん券の引き渡し先を示す引き渡し先情報とを対応付けて記憶し、標準の前記引き渡し先情報として、当該引き渡し先情報に対応付けられた前記売場識別情報に示された売場を示す情報を記憶する抽せん券管理データ記憶手段を備えた抽せん券販売管理装置を有する抽せん券販売管理システムの抽せん券管理方法であって、前記抽せん券販売管理装置が、購入者が前記抽せん券の購入先として希望する売場の前記売場識別情報と、前記購入者が購入を希望する抽せん券の前記抽せん券特定情報と、前記購入者が希望する引き渡し先の前記引き渡し先情報とを受け付ける購入情報受付過程と、前記抽せん券販売管理装置が、前記購入情報受付過程において受け付けた前記売場識別情報と前記抽せん券特定情報とに対応付けられて前記抽せん券管理データ記憶手段が記憶する引き渡し先情報を、前記購入者情報受付手段が受け付けた引き渡し先情報に更新する更新手段とを有することを特徴とする抽せん券販売管理方法である。
【００１２】
また本発明は、前記抽せん券販売管理システムが印刷装置をさらに有しており、前記抽せん券販売管理装置が、前記抽せん券管理データ記憶手段で記憶する抽せん券ごとの売場識別情報を読み取り、該売場識別情報か又は該売場識別情報に対応した前記売場を表す情報を前記印刷装置に送信する売場識別情報印刷指示過程を有し、前記印刷装置が、前記抽せん券ごとの、前記売場識別情報に対応した売場を表す情報か又は該売場識別情報のいずれかを、その抽せん券に印刷する売場識別情報印刷過程を有することを特徴とする。
【００１３】
また本発明は、前記抽せん券販売管理システムが袋詰装置をさらに有しており、前記抽せん券販売管理装置が、前記抽せん券管理データ記憶手段で記憶する抽せん券ごとの売場識別情報と引き渡し先情報を読み取り、前記袋詰装置に送信する抽せん券袋詰指示過程を有し、前記袋詰装置が、前記売場識別情報と引き渡し先情報との組み合わせが同じ複数枚の前記抽せん券を、同じ袋に袋詰する袋詰過程を有することを特徴とする。
【００１４】
また本発明は、袋詰装置をさらに有しており、前記抽せん券販売管理装置が、前記抽せん券管理データ記憶手段で記憶する抽せん券ごとの売場識別情報と引き渡し先情報を読み取り、前記売場識別情報と引き渡し先情報との組み合わせが同じ抽せん券同士の複数枚を同じ袋に袋詰するように、抽せん券の袋詰の振り分けを行い、袋特定情報か袋詰特定情報かあるいは同じ袋に袋詰する抽せん券の抽せん券特定情報のいずれかを、前記袋詰装置に送信する抽せん券袋詰指示手段を備え、前記袋詰装置が、袋特定情報か袋詰特定情報かあるいは同じ袋に袋詰する抽せん券の抽せん券特定情報のいずれかに基づいて、前記売場識別情報と引き渡し先情報との組み合わせが同じ抽せん券同士を、同じ袋に袋詰する袋詰手段を備えることを特徴とする。
【００１５】
また本発明は、前記抽せん券販売管理システムが仕分け装置をさらに有しており、前記仕分け装置が、前記抽せん券ごとの前記引き渡し先情報に基づいて、前記抽せん券が詰められた袋の仕分けを行なう袋仕分け過程を有することを特徴とする。
【００１６】
また本発明は、前記抽せん券販売管理システムが仕分け装置をさらに有しており、前記仕分け装置が、前記抽せん券ごとの前記引き渡し先情報に基づいて、前記抽せん券の仕分けを行なう抽せん券仕分け過程を有することを特徴とする。
【発明の効果】
【００１７】
本発明によれば、抽せん券販売管理装置が、購入者が抽せん券の購入先として希望する売場の識別情報と、購入者が購入を希望する抽せん券の抽せん券特定情報と、購入者が希望する引き渡し先の引き渡し先情報とを受け付け、受け付けた売場の識別情報と抽せん券特定情報とに対応付けられて抽せん券管理データ記憶手段が記憶する引き渡し先情報を、購入者情報受付手段が受け付けた引き渡し先情報に更新する。これにより、購入者が購入を希望する抽せん券の売場に出向かなくても、近隣の売場などを引き渡し先として、記録されるので、購入者の希望する引き渡し先へ抽せん券を配送することができる。したがって、抽せん券の購入者が、希望する抽せん券売場の抽せん券をその売場まで出かけることなく購入することができる。
【００１８】
また本発明によれば、抽せん券販売管理装置が、抽せん券ごとに抽せん券管理データ記憶手段で記憶する売場識別情報を読み取り、抽せん券ごとの売場識別情報を印刷装置に送信する。そして、印刷装置が、抽せん券ごとの売場識別情報を、抽せん券に印刷する。これにより、購入者は抽せん券が希望の抽せん券売場で販売される抽せん券であることを確認することができる。
【００１９】
また本発明によれば、抽せん券販売管理装置が、抽せん券ごとの売場の識別情報を袋詰装置に送信し、袋詰装置が、抽せん券ごとの売場の識別情報に基づいて、抽せん券を売場の識別情報ごとに袋詰する。これにより、人気のある売場に割当てられた抽せん券を、専用の袋に袋詰すれば、どの売場で販売される抽せん券かを判別することが出来る。
【発明を実施するための最良の形態】
【００２０】
以下、本発明の一実施形態による抽せん券販売管理システムを図面を参照して説明する。なお、本実施形態においては抽せん券の代表例として宝くじ券用いて説明する。図１は抽せん券管理システムの構成を示すブロック図である。この図において、符号１は抽せん券販売管理装置である。また２は１枚のシートに複数の宝くじ券の券面の印刷を行なう印刷装置（売場識別情報印刷手段）である。また３は１枚のシートに複数印刷された宝くじ券を裁断する裁断機である。また４は宝くじ券を１０枚ずつの束にするスタック装置である。また５は宝くじ券の束を袋詰する袋詰装置（袋詰手段）である。また６は宝くじ券が袋詰された袋を引き渡し先の宝くじ売場ごとに仕分けを行なう仕分け装置（袋仕分け手段、抽せん券仕分け手段）である。
【００２１】
また抽せん券販売管理装置１において、符号１１は購入者が購入を希望する宝くじ券を特定する情報（抽せん券特定情報）や、購入枚数や、その宝くじ券の購入を希望する宝くじ売場を示す売場識別情報や、宝くじ券の引き渡し先の情報を、通信ネットワークを介して購入者の端末などから受け付ける購入情報受付部（購入情報受付手段）である。また１２は宝くじ券の宝くじ売場への配券を管理する配券処理部（更新手段、売場識別情報印刷指示手段、抽せん券袋詰指示手段、袋仕分け指示手段、抽せん券仕分け指示手段）である。また１３はコード一覧データや抽せん券管理データを記憶するデータ記憶部（抽せん券管理データ記憶手段）である。
【００２２】
そして、抽せん券販売管理装置１は、購入者の端末などから通信ネットワークを介して、購入を希望する宝くじ券を特定する情報や購入枚数やその宝くじ券の購入を希望する宝くじ売場の売場識別情報や宝くじ券の引き渡し先の情報を受け付け、抽せん券管理データで予め記憶されている宝くじ券の引き渡し先の情報を、購入者の希望する引き渡し先の情報に更新する処理を行なう。また抽せん券販売管理装置１は、印刷装置２に宝くじ券を印刷する指示や、袋詰装置５に宝くじ券の束を袋詰する指示や、仕分け装置６への仕分けの指示を行なう。
【００２３】
次に、コード一覧データと抽せん券管理データについて説明する。
図２はコード一覧データのデータ構造を示す図である。
この図が示すようにコード一覧データは宝くじ売場名称に対応付けて、各宝くじ売場の割当て先コード（売場識別情報の例）または引き渡し先コード（引き渡し先情報の例）となる共通の番号を記憶している。なお、本実施形態においては、１つの宝くじ売場の割当て先コードと引き渡し先コードは同じ番号とする。ここで引き渡し先とは購入者が購入した宝くじ券を引き渡す場所を示しており、本実施形態においては購入者の自宅に近い宝くじ売場を示すが、この他に、例えば、購入者の自宅であっても良い。
【００２４】
また図３は抽せん券管理データのデータ構造を示す図である。
この図が示すように抽せん券管理データは、各宝くじ券の情報となる、ブロック、回別、整理番号の情報と、販売を割当てられた宝くじ売場を示す割当て先コードと、宝くじ券の引き渡し先を示す引き渡し先コードと、引き渡し先コードによって特定される販売地域コードとを対応付けて記憶している。なおブロックの番号は宝くじ券を販売する地域をブロック単位で分けた時の各地域を特定する番号であり、また回別の番号は、宝くじの販売回数を表す番号である。また整理番号は宝くじ券ごとに振られる番号であり、その番号の中に抽せん番号などを含んでいる。例えば、整理番号の中の決められた桁に、どの宝くじ券であるかを識別できる抽せん券特定情報を含ませるようにしてもよい。また販売地域コードは、宝くじ券の収益金などが納められる地域を示す番号である。
【００２５】
次に、図４を参照して、本実施形態における抽せん券管理システムの処理について順を追って説明する。図４は抽せん券販売管理装置の処理フローを示す図である。
まず、購入者の端末から通信ネットワークを介して宝くじ券の購入依頼の情報を受け付けると、購入情報受付部１１は、購入用画面の情報を購入者の端末に送信する（ステップＳ１）。この購入用画面においては、宝くじ券の種類や、購入枚数や、購入を希望する宝くじ売場や、その売場の宝くじ券の引き渡し先となる（例えば交通が便利な近所の）宝くじ売場の情報を受け付け、また購入者の住所や氏名などの購入者情報（例えば購入者との連絡が必要な場合に使用）も受け付ける。なお、購入画面において、宝くじ券の種類の代わりに、宝くじ券を特定できる情報として、例えば、宝くじ券の抽せん番号を受け付けることができるようにしても良い。購入者が端末のモニタに表示された購入用画面において、マウスやキーボード等を用いて、宝くじ券の種類や、購入枚数や、購入を希望する宝くじ売場や、その売場の宝くじ券の引き渡し先となる宝くじ売場のアイコン選択し、購入依頼の送信を指示（例えば、購入用画面における購入依頼のボタンをマウスを用いてクリック）すると、端末は、ユーザから選択された宝くじ券の種類や、購入枚数や、購入を希望する宝くじ売場や、その売場の宝くじ券の引き渡し先となる宝くじ売場の情報や、購入者情報を抽せん券販売管理装置１に送信する。
【００２６】
次に、端末から通信ネットワークを介して抽せん券販売管理装置１に送信された各情報を、購入情報受付部１１が受け付ける（ステップＳ２）。そして、購入情報受付部１１は受け付けた各情報を配券処理部１２に転送する。次に配券処理部１２は、購入者の端末から受け付けた宝くじ売場の名称に対応してコード一覧データに記録されている割当て先コードをデータ記憶部１３から読み取る。そして、配券処理部１２は、購入者の端末から受信した宝くじ券の種類の情報に基づいて、その宝くじ券の種類を示すブロックの番号や回別の番号を特定して、当該特定したブロックの番号や回別の番号とデータ記憶部１３から読み取った割当て先コードとに対応付けられて抽せん券管理データに記録されている、宝くじ券の整理番号を購入枚数分特定する（ステップＳ３）。また配券処理部１２は、特定した宝くじ券の整理番号に対応づけて購入者情報を抽せん券管理データに書き込む（ステップＳ４）。なお、ステップＳ３〜ステップＳ４の処理において、例えば、抽せん券管理データが、予め宝くじ券の種類を示すブロックの番号や回別の番号に対応付けて割当て先コードを記憶していないような場合には、購入者の端末から受け付けた、希望の購入先の宝くじ売場の割当て先コードを抽せん券管理データに書き込む処理を行うようにしてもよい。
【００２７】
また、更新手段の役目は例えば配券処理部１２が担っており、購入者の端末から受け付けた、購入を希望する宝くじ売場とその売場の宝くじ券の引き渡し先となる宝くじ売場が異なる場合には、抽せん券管理データにおける前記特定した宝くじ券の整理番号に対応する引き渡し先コードの欄を、購入者の端末から受信した引き渡し先となる宝くじ売場の情報に対応付けられてコード一覧データに記録されている引き渡し先コードに書き換える（ステップＳ５）。これにより、購入者によって購入される宝くじ券の引き渡し先が特定される。なお、配券処理部１２は、購入者の端末から受け付けた、購入を希望する宝くじ売場とその売場の宝くじ券の引き渡し先となる宝くじ売場が同じ場合（これが標準である）には、前記特定した宝くじ券の整理番号に対応する引き渡し先コードの欄は書き換えない（標準である“抽せん券の販売が割当てられた売場”を示す情報のまま）。しかし、抽せん券の販売が割当てられた売場とは異なる売場等での引き渡しの希望が一旦受け付けられた後に、もしその購入希望者がその注文をキャンセルした場合は、更新手段を担っている配券処理部１２が、引き渡し先コードの情報を標準の情報である“抽せん券の販売が割当てられた売場”を示す情報に書き換える。
【００２８】
そして、配券処理部１２は、データ記憶部１３が記憶する抽せん券管理データに割当て先コードと引き渡し先コードが書き込まれた宝くじ券について印刷するよう印刷装置２へ指示する（ステップＳ６）。この時、配券処理部１２はブロックの番号や回別の番号や整理番号を印刷装置２へ通知する。そして、印刷装置２は１枚のシートに販売する宝くじ券の整理番号などを印刷し、複数の宝くじ券の券面が印刷された１枚のシートを裁断機３が裁断して、宝くじ券を作成する。またスタック装置４が宝くじ券を１０枚ずつの束にする。
【００２９】
次に、配券処理部１２は、宝くじ券の整理番号ごとにデータ記憶部１３の抽せん券管理データに記録されている割当て先コードと引き渡し先コードを読み取り、袋詰装置５に宝くじ券の整理番号と割当て先コードと引き渡し先コードの組み合わせの情報を通知して、袋詰の指示を行なう（ステップＳ７）。すると袋詰装置５は、宝くじ券の整理番号と割当て先コードと引き渡し先コードの組み合わせの情報に基づいて、割当て先コードと引き渡し先コードとの組み合わせが同じ宝くじ券同士を、指定される袋に、スタック装置４が束ねた１０枚の宝くじ券の束ごとに袋詰する。なお、宝くじ券の束を袋詰する袋は割当て先コードで示される宝くじ売場専用の袋とする。ここで、袋詰装置５は割当て先コードで示される宝くじ売場毎に専用の袋に宝くじ券を袋詰する代わりに、例えば、袋に割当て先コードで示された宝くじ売場の印を印刷するようにしても良い。
【００３０】
なお、袋詰の指示における他の処理方法としては、例えば、配券処理部１２が、データ記憶部１３で記憶する抽せん券ごとの売場識別情報と引き渡し先情報を読み取り、売場識別情報と引き渡し先情報との組み合わせが同じ抽せん券同士の複数枚を同じ袋に袋詰するように、抽せん券の袋詰の振り分けを行い、“袋特定情報”または“袋詰特定情報”を設定して、データ記憶部１３の抽せん券を特定する情報に対応付けて記憶しておく。そうすれば、抽せん券の発送、保管、販売、又は、管理、等などで、万一問題（事故とか不正）が起きた場合であっても、ある抽せん券がどの袋に袋詰めされているかや、どの抽せん券同士が同じ袋に袋詰めされているか等の把握が容易になるので、問題への対応策を講じ易くなるので好ましい。そして、配券処理部１２が、それら設定した袋特定情報または袋詰特定情報を袋詰装置に送信し、袋詰装置が、袋特定情報か袋詰特定情報に基づいて、売場識別情報と引き渡し先情報との組み合わせが同じ抽せん券同士を、同じ袋に袋詰する。
【００３１】
また配券処理部１２は、宝くじ券の整理番号ごとにデータ記憶部１３の抽せん券管理データに記録されている引き渡し先コードを読み取り、仕分け装置６に宝くじ券の整理番号と引き渡し先コードの組み合わせの情報を通知して、袋の仕分けの指示を行なう（ステップＳ８）。そして、仕分け装置６が、宝くじ券の整理番号と引き渡し先コードの組み合わせの情報と、袋につめられた宝くじ券の整理番号に基づいて、通知を受けた引き渡し先コードごとに宝くじ券の詰められた袋の配送の為の仕分け処理を行なう。そして、引き渡し先コードで示される宝くじ券売場へそれぞれの宝くじ券の詰められた袋が配送される。そして、宝くじ券の配送後には、販売された宝くじ券について、割当て先コードで示される宝くじ売場と、引き渡し先コードで示される宝くじ売場が異なる場合には、例えば、その宝くじ券の売上げに対する手数料は、それぞれの宝くじ売場へ支払われる。
【００３２】
なお、上述の処理のほかに、例えば、売場の情報を抽せん券に印刷する行程を、袋詰の行程に代えて行なったり、あるいは、印刷する行程の後に袋詰の行程を行なってもよい。また、売場の情報を袋に印刷で表示する行程を、袋詰する行程の前または後に行なってもよい。これらの処理は、配券処理部１２が、データ記憶部１３から売場の割当て先コードをデータ記憶部１３から読み取って、印刷装置２に送信し、印刷装置２がその割当て先コードに対応する売場名や売場のマークなどを印刷する。また、データ記憶部１３が売場の割当て先コードに対応して当該売場名などを記憶しており、その売場名を配券処理部１２が、データ記憶部１３から読み取って、印刷装置２に送信し、印刷装置２がその売場名を印刷するようにしてもよい。そうすれば、印刷装置２において、割当て先コードから売場名に変換する処理を削減でき、迅速に売場名が印刷できるようになる。また、売場名以外にも、売場コードでもよく、人が売場を判定しやすい情報であればよい。
【００３３】
また、上述の各装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３４】
また、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３５】
【図１】本発明の実施形態の抽せん券管理システムの構成を示すブロック図である。
【図２】本実施形態によるコード一覧データのデータ構造を示す図である。
【図３】本実施形態による抽せん券管理データのデータ構造を示す図である。
【図４】本実施形態による抽せん券販売管理装置の処理フローを示す図である。
【符号の説明】
【００３６】
１・・・抽せん券販売管理装置、２・・・印刷装置、３・・・裁断機、４・・・スタック装置、５・・・袋詰装置、６・・・仕分け装置
【図１】
2005284330.tif 000003
【図２】
2005284330.tif 000004
【図３】
2005284330.tif 000005
【図４】
2005284330.tif 000006